(57)【要約】【課題】高入力かつ高風量で信頼性も高くゴミ取れ性能に優れた電気掃除機を提供する。【解決手段】吸引力を発生する回転方向の異なる二つの電動送風機３、４それぞれの吸気口７が対峙するように配設された二つの電動送風機室５、６を有する電気掃除機本体部１と、進行方向側に位置する回転ブラシ８を有するノズル部９とで構成され、電動送風機３、４の反吸気口側から延長された二つのシャフト１０と回転ブラシ８の左右両端とを、それぞれベルト１１で連結し、電動送風機３、４の回転力により回転ブラシ８を回転させる構成とした。これにより、容易に電気掃除機の入力を高めることができ、高い負荷が加わらず信頼性にも優れ、また電動送風機の温度上昇も抑制できベルトの寿命を延ばすことも可能となり、更に電動送風機のファン径を大きくすることなくアップライト型に適した高い風量を得ることができ、ゴミ取れ性能にも優れた電気掃除機が提供できる。【選択図】図１
2007068683.tif 000002
【特許請求の範囲】
【請求項１】
集塵室と、吸引力を発生する回転方向の異なる二つの電動送風機それぞれの吸気口が対峙するように配設された二つの電動送風機室とを有する電気掃除機本体部と、進行方向側に位置する回転ブラシを有するノズル部とで構成され、電動送風機それぞれの反吸気口側から延長された二つのシャフトと前記回転ブラシの左右両端とを、それぞれベルトで連結することで、前記二つの電動送風機の回転力により前記回転ブラシに同一方向の回転力を伝達し、前記回転ブラシを回転させるアップライト型電気掃除機。
【請求項２】
集塵室と、吸引力を発生する回転方向が同一の二つの電動送風機それぞれの吸気口が対峙するように配設された二つの電動送風機室とを有する電気掃除機本体部と、進行方向側に位置する回転ブラシを有するノズル部とで構成され、電動送風機それぞれの反吸気口側から延長された二つのシャフトと前記回転ブラシの左右両端とを、それぞれベルトで連結すると共に、前記ベルトの内、片方のベルトを略８の字型にクロスさせた状態で、もう片方のベルトはクロスさせない状態で、電動送風機のシャフトと回転ブラシとを連結することで、前記二つの電動送風機の回転力により前記回転ブラシに同一方向の回転力を伝達し、前記回転ブラシを回転させるアップライト型電気掃除機。
【請求項３】
位相制御等の制御により、吸引力を発生する二つの電動送風機の回転数を同水準にして、電動送風機の回転力を前記電動送風機のシャフトから回転ブラシにベルトを介し伝達する請求項１または２記載のアップライト型電気掃除機。
【発明の詳細な説明】
【技術分野】
【０００１】
本発明は、アップライト型電気掃除機に使用される電動送風機及び回転ブラシに関する。
【背景技術】
【０００２】
従来例を、一般的なアップライト型電気掃除機を用いて、図１１により説明する。
【０００３】
図１０において、集塵室と、吸引力を発生する電動送風機１８と、前記電動送風機１８を保持する電動送風機室１９から成る電気掃除機本体部１と、それに連結し、進行方向側に位置する回転ブラシ８を有するノズル部９とで構成され、回転ブラシ８の駆動源は、電動送風機１８のシャフト１０と回転ブラシ８とをベルト１１で連結し、電動送風機１８の回転力をベルト１１を介し回転ブラシ８に伝達することで回転ブラシ８を回転させる構成となっている（例えば、特許文献１参照）。
【特許文献１】特開昭６４−３３９５４号公報
【発明の開示】
【発明が解決しようとする課題】
【０００４】
しかし、上記従来の構成では、近年の高入力化の流れにおいて、高入力電動送風機を用いることによる電気掃除機の信頼性の低下、電動送風機の温度上昇、電動送風機シャフトの温度上昇に伴うベルトの寿命低下が問題となっている。
【０００５】
本発明は、上記課題を解決し、高入力かつ高風量で、信頼性も高くゴミ取れ性能に優れた電気掃除機を提供することを目的とする。
【課題を解決するための手段】
【０００６】
前記従来の課題を解決するために、本発明の電気掃除機は、集塵室と、吸引力を発生する回転方向の異なる二つの電動送風機それぞれの吸気口が対峙するように配設された二つの電動送風機室とを有する電気掃除機本体部と、進行方向側に位置する回転ブラシを有するノズル部とで構成され、電動送風機それぞれの反吸気口側から延長された二つのシャフトと前記回転ブラシの左右両端とを、それぞれベルトで連結することで、前記二つの電動送風機の回転力により前記回転ブラシに同一方向の回転力を伝達し、前記回転ブラシを回転させるものである。
【０００７】
これによって、入力の低い電動送風機を用いても二つ組み合わせることで容易に電気掃除機の入力を高めることができ、高入力電動送風機のような高い負荷が加わらず高い信頼性を保つことができ、かつ、電動送風機の温度上昇も抑制できることでシャフトからベルトに伝わる熱を低くすることができベルトの寿命を延ばすこともできる。また、電動送風機のファン径を大きくすることなくアップライト型に適した高い風量を得ることができ、高いゴミ取れ性能を得る事が可能となる。また、一つの回転ブラシの駆動源を二つの電動送風機のシャフトから二本のベルトにより得ることで、片方のベルトが何らかの理由で切断されても、もう一方のベルトが連結されている限り回転ブラシは回転し続け、回転ブラシの回転寿命を延ばすことが可能となる。
【発明の効果】
【０００８】
本発明の電気掃除機は、高入力かつ高風量で信頼性も高く、ゴミ取れ性能に優れた電気掃除機を実現させるものである。
【発明を実施するための最良の形態】
【０００９】
第１の発明は、集塵室と、吸引力を発生する回転方向の異なる二つの電動送風機それぞれの吸気口が対峙するように配設された二つの電動送風機室とを有する電気掃除機本体部と、進行方向側に位置する回転ブラシを有するノズル部とで構成され、電動送風機それぞれの反吸気口側から延長された二つのシャフトと前記回転ブラシの左右両端とを、それぞれベルトで連結することで、前記二つの電動送風機の回転力により前記回転ブラシに同一方向の回転力を伝達し、前記回転ブラシを回転させることにより、入力の低い電動送風機を用いても二つ組み合わせることで容易に電気掃除機の入力を高めることができ、高入力電動送風機のような高い負荷が掛からず高い信頼性を保つことができ、かつ、電動送風機の温度上昇も抑制できることでシャフトからベルトに伝わる熱を低くすることができベルトの寿命を延ばすことができる。また、ファン径を大きくすることなくアップライト型に適した高い風量を得ることができ、高いゴミ取れ性能を得る事が可能となる。また、一つの回転ブラシの駆動源を二つの電動送風機のシャフトから二本のベルトにより得ることで、片方のベルトが何らかの理由で切断されても、もう一方のベルトが連結されている限り回転ブラシは回転し続け、回転ブラシの回転寿命を延ばすことが可能となる。
【００１０】
第２の発明は、集塵室と、吸引力を発生する回転方向が同一の二つの電動送風機それぞれの吸気口が対峙するように配設された二つの電動送風機室とを有する電気掃除機本体部と、進行方向側に位置する回転ブラシを有するノズル部とで構成され、電動送風機それぞれの反吸気口側から延長された二つのシャフトと前記回転ブラシの左右両端とを、それぞれベルトで連結すると共に、前記ベルトの内、片方のベルトを略８の字型に捻じ曲げてクロスさせた状態で、もう片方のベルトはクロスさせない状態で、電動送風機のシャフトと回転ブラシとを連結することで、前記二つの電動送風機の回転力により前記回転ブラシに同一方向の回転力を伝達し、前記回転ブラシを回転させることにより、回転方向の異なる電動送風機をそれぞれ開発することなく、容易に二つの電動送風機から一つの回転ブラシへとベルトを介し回転力を伝達することができる。
【００１１】
第３の発明は、制御、例えば位相制御などを行なうことで、吸引力を発生する二つの電動送風機の回転数を同水準にして、電動送風機の回転力を前記電動送風機のシャフトから回転ブラシにベルトを介し伝達することにより、二つの電動送風機の回転数が異なる際のベルトとシャフトの擦れによるダメージを防ぐことができ、ベルトの寿命を延ばすことができる。
【００１２】
以下、本発明の実施の形態について、図面を参照しながら説明する。なお、この実施の形態によって本発明が限定されるものではない。
【００１３】
（実施の形態１）
本発明の第１の実施の形態を図１を用いて説明する。図１は本実施の形態の電気掃除機の断面図である。電気掃除機本体部１は、吸い込んだ塵埃を収集する集塵室２を有し、吸引力を発生する回転方向の異なる二つの電動送風機のうち、反吸気側から見て反時計方向に回転する電動送風機３を、電気掃除機前面から見て右側の電動送風機室５に、反吸気側から見て時計回りに回転する電動送風機４を、電機掃除機前面から見て左側の電動送風機室６に配置しており、二つの電動送風機の吸気口７は互いに向き合っている。また、電気掃除機の進行方向側に位置する回転ブラシ８を有しているノズル部９は前記電気掃除機本体部１と連結している。そして、前記電動送風機の反吸気口側から延長された二つのシャフト１０と前記回転ブラシ８の左右両端とを二つのベルト１１で連結している。
【００１４】
次に、上記構成における動作、作用について説明する。
【００１５】
電気掃除機を駆動させると、回転方向の異なる二つの電動送風機３及び４が電力を得てそれぞれ逆方向に回転を始める。そして反時計回りに回転する電動送風機４のシャフト１０は、ベルト１１に連結された回転ブラシ８に床面から見て電気掃除機本体側方向への回転を伝達する。同じく時計回りに回転する電動送風機３のシャフト１０は、ベルト１１により連結された回転ブラシ８に床面から見て電気掃除機本体側方向への回転を伝達する。
【００１６】
このような構成を取ることにより、例えばスティック型電気掃除機のような入力の低い電動送風機を用いても二つ組み合わせることで容易に電気掃除機の入力を高めることができ、高入力電動送風機のような高い負荷が掛からず高い信頼性を保つことができ、かつ、電動送風機の温度上昇も抑制できることでシャフト１０からベルト１１に伝わる熱を低くすることができベルト１１の寿命を延ばすことができる。また、ファン径を大きくすることなくアップライト型に適した高い風量を得ることができ、高いゴミ取れ性能を得る事が可能となる。また、一つの回転ブラシ８の駆動源を二つの電動送風機３及び４のシャフト１０から二本のベルト１１により得ることで、片方のベルト１１が何らかの理由で切断されても、もう一方のベルト１１が連結されている限り回転ブラシ８は回転し続け、回転ブラシ８の回転寿命を延ばすことが可能となる。
【００１７】
（実施の形態２）
次に本発明の第２の実施の形態を図２を用いて説明する。なお、第１の実施の形態と同一構成部品については同一符号を付して、その説明を省略する。図２は電気掃除機本体部１とノズル部９の断面図で、図３は左側の電動送風機室６側から見たノズル部９の断面図である。反時計回りの電動送風機４を左右の電動送風機室５及び６内に配置してあり、左側の電動送風機室６に配置された電動送風機４のシャフト１０と回転ブラシ８とをベルト１１を捻じ曲げた状態で連結している。その他の構成は実施の形態１と同様である。
【００１８】
上記構成において、動作、作用について説明する。
【００１９】
電気掃除機を駆動させると、回転方向が同じ二つの電動送風機４が電力を得てそれぞれ反時計回りに回転を始める。そして右側の電動送風機室に配置された反時計回りに回転する電動送風機４のシャフト１０は、ベルト１１に連結された回転ブラシ８に床面から見て電気掃除機本体側方向への回転を伝達する。同じく左側の電動送風機室６に配置された反時計回りに回転する電動送風機４のシャフト１０は、捻じ曲げて取り付けられたベルト１１により連結された回転ブラシ８を、左側の電動送風機室６に配置された反時計回りに回転する電動送風機４とは逆方向の、床面から見て電気掃除機本体側方向への回転を伝達する。
【００２０】
このような構成を取ることにより、回転方向の異なる電動送風機をそれぞれ開発することなく、容易に二つの回転方向が同一の電動送風機４から一つの回転ブラシ８へとベルト１１を介し回転力を伝達することができる。
【００２１】
（実施の形態３）
次に本発明の第３の実施の形態を図４を用いて説明する。なお、上記の実施の形態と同一構成部品については同一符号を付して、その説明を省略する。図４は電気掃除機本体１及びノズル部９の断面図で、１２は二つの電動送風機の回転数を同水準にする制御基板となっており、その他の構成は実施の形態１と同じである。
【００２２】
上記構成において、動作、作用を説明する。
【００２３】
電気掃除機を駆動させると、二つの電動送風機の回転数を同水準にする制御基板を介した回転方向の異なる二つの電動送風機３及び４が電力を得てそれぞれ逆方向に同水準の回転数で回転を始める。そして反時計回りに回転する電動送風機４のシャフト１０は、ベルト１１に連結された回転ブラシ８に床面から見て電気掃除機本体側方向への回転を伝達する。同じく時計回りに回転する電動送風機３のシャフト１０は、ベルト１１により連結された回転ブラシ８に床面から見て電気掃除機本体側方向への回転を伝達する。
【００２４】
このように、制御、例えば位相制御などを行なうことで、吸引力を発生する二つの電動送風機３及び４の回転数を同水準にして、電動送風機３及び４の回転力をそれぞれのシャフト１０から回転ブラシ８にベルト１１を介し伝達することにより、二つの電動送風機３及び４の回転数が異なる際のベルト１１とシャフト１０の擦れによるダメージを防ぐことができ、ベルト１１の寿命を延ばすことができる。
【００２５】
（実施の形態４）
次に本発明の第４の実施の形態を図５を用いて説明する。なお、上記の実施の形態と同一構成部品については同一符号を付して、その説明を省略する。図５は電気掃除機本体１及びノズル部９の断面図で、二つの電動送風機３及び４のシャフト１０から二つのベルト１１により連結されている回転ブラシ１３を中央付近で左右分離させている。その他の構成は実施の形態１と同じである。
【００２６】
上記構成において、動作、作用を説明する。
【００２７】
電気掃除機を駆動させると、回転方向の異なる二つの電動送風機３及び４が電力を得てそれぞれ逆方向に回転を始める。そして反時計回りに回転する電動送風機４のシャフト１０は、ベルト１１に連結された中央付近で分離させた回転ブラシ１３の右側の電動送風機室５側に床面から見て電気掃除機本体側方向への回転を伝達する。同じく時計回りに回転する電動送風機３のシャフト１０は、ベルト１１により連結された中央付近で分離させた回転ブラシ１３の左側の電動送風機室６側に床面から見て電気掃除機本体側方向への回転を伝達する。
【００２８】
このように、回転ブラシ１３を中央付近で分離させることにより、二つの電動送風機３及び４の回転数が同じでない場合の、電動送風機３及び４の回転力をそれぞれのシャフト１０から中央付近で分離させた回転ブラシ１３にベルト１１を介し伝達する際、二つの電動送風機３及び４の回転数が異なることにより生じるベルト１１とシャフト１０の擦れによるダメージを防ぐことができ、ベルト１１の寿命を延ばすことができる。また、二つの電動送風機３及び４の回転方向を同水準にするための制御回路がいらず、低コストで用意に電気掃除機の開発を行うことが可能である。
【００２９】
（実施の形態５）
次に本発明の第５の実施の形態を図６を用いて説明する。なお、上記の実施の形態と同一構成部品については同一符号を付して、その説明を省略する。図６は電気掃除機本体部１及びノズル部９の断面図で、二つの回転方向が異なる電動送風機３及び４のシャフト１０から、二つのベルト１１により左右両端を連結された回転ブラシ８の進行側にもう一つ回転ブラシ１４を平行に配置し、平行に並ぶ前記二つの回転ブラシ８及び１４を、同一方向に回転を伝達する回転伝達装置１５、例えばギア等により連結させている。
【００３０】
上記構成において、動作、作用を説明する。
【００３１】
電気掃除機を駆動させると、回転方向の異なる二つの電動送風機３及び４が電力を得てそれぞれ逆方向に回転を始める。そして反時計回りに回転する電動送風機４のシャフト１０は、ベルト１１に連結された回転ブラシ８に床面から見て電気掃除機本体側方向への回転を伝達する。同じく時計回りに回転する電動送風機３のシャフト１０は、ベルト１１により連結された回転ブラシ８に床面から見て電気掃除機本体側方向への回転を伝達する。そして回転ブラシ８と進行方向側に平行に位置する回転ブラシ１４は同一方向に回転を伝達する回転伝達装置１５により連結されているため、回転ブラシ１４は回転ブラシ８と同一方向へ回転をする。
【００３２】
このように、二つの回転方向が異なる電動送風機３及び４のシャフト１０から、二つのベルト１１により左右両端を連結された回転ブラシ８の進行側にもう一つ回転ブラシ１４を平行に配置し、平行に並ぶ前記二つの回転ブラシ８及び１４を、同一方向に回転を伝達する回転伝達装置１５、例えばギア等により連結させることで、前記平行に並ぶ二つの回転ブラシ８及び１４を同一方向に回転させることにより、床の広い範囲の塵埃を掻き集めることができ電気掃除機のゴミ取れ性を向上させる事ができる。
【００３３】
（実施の形態６）
次に本発明の第６の実施の形態を図７を用いて説明する。なお、上記の実施の形態と同一構成部品については同一符号を付して、その説明を省略する。図７は電気掃除機本体部１及びノズル部９の断面図で、電気掃除機本体部１は、吸い込んだ塵埃を収集する集塵室２を有し、吸引力を発生する回転方向の異なる二つの電動送風機のうち、反吸気側から見て時計回りに回転する電動送風機３を、電気掃除機前面から見て右側の電動送風機室５に、反吸気側から見て反時計回りに回転する電動送風機４を、電機掃除機前面から見て左側の電動送風機室６に配置しており、二つの電動送風機の吸気口７は互いに向き合っている。
【００３４】
また、電気掃除機の進行方向側に位置する回転ブラシ８を有しているノズル部９は前記電気掃除機本体部１と連結している。そして、前記電動送風機の反吸気口側から延長された二つのシャフト１０と前記回転ブラシ８の左右両端とを二つのベルト１１で連結している。
【００３５】
また、回転ブラシ８の進行側にもう一つ回転ブラシ１４を平行に配置し、平行に並ぶ前記二つの回転ブラシ８及び１４を、逆方向に回転を伝達する回転伝達装置１６、例えばギア等により連結させている。
【００３６】
上記構成において、動作、作用を説明する。
【００３７】
電気掃除機を駆動させると、回転方向の異なる二つの電動送風機３及び４が電力を得てそれぞれ逆方向に回転を始める。そして時計回りに回転する電動送風機３のシャフト１０は、ベルト１１に連結された回転ブラシ８に床面から見て進行方向側方向への回転を伝達する。同じく反時計回りに回転する電動送風機４のシャフト１０は、ベルト１１により連結された回転ブラシ８に床面から見て進行方向側方向への回転を伝達する。そして回転ブラシ８と進行方向側に平行に位置する回転ブラシ１４は逆方向に回転を伝達する回転伝達装置１６により連結されているため、回転ブラシ１４は回転ブラシ８と逆方向へ回転をする。
【００３８】
このように、二つの回転方向が異なる電動送風機３及び４のシャフト１０から、二つのベルト１１により左右両端を連結された回転ブラシ８の進行側にもう一つ回転ブラシ１４を平行に配置し、平行に並ぶ前記二つの回転ブラシ８及び１４を、逆方向に回転を伝達する回転伝達装置１６、例えばギア等により連結させることで、前記平行に並ぶ二つの回転ブラシ８及び１４を床面から見て互いに回転ブラシ８と１４との間方向へ回転、つまり、床面から塵埃を回転ブラシ８と回転ブラシ１４の間に掻き込むよう互いに逆方向に回転させることで、床の広い範囲の塵埃を一部の狭い範囲に掻き集めることができ、その、塵埃が掻き集められる空間に吸い込み口を設けることで電気掃除機のゴミ取れ性を向上させる事ができる。
【００３９】
（実施の形態７）
次に本発明の第７の実施の形態を図８を用いて説明する。なお、上記実施の形態と同一構成部品については同一符号を付して、その説明を省略する。図８は電気掃除機本体部１とノズル部９の断面図で、電気掃除機本体部１は、吸い込んだ塵埃を収集する集塵室２を有し、吸引力を発生する回転方向の異なる二つの電動送風機のうち、反吸気側から見て反時計方向に回転する電動送風機３を、電気掃除機前面から見て右側の電動送風機室５に、反吸気側から見て時計回りに回転する電動送風機４を、電機掃除機前面から見て左側の電動送風機室６に配置しており、二つの電動送風機の吸気口７は互いに向き合っている。そして、前記右側の電動送風機室５に配置された反時計回りに回転する電動送風機４のシャフト１０は、二つ並行に並ぶ回転ブラシのうち電気掃除機側に位置する回転ブラシ８とベルト１１を介し連結されている。また、前記左側の電動送風機室６に配置された時計回りに回転する電動送風機３のシャフト１０は、二つ並行に並ぶ回転ブラシのうち進行方向側に位置する回転ブラシ１４とベルト１１を介し連結されている。
【００４０】
次に、上記構成における動作、作用について説明する。
【００４１】
電気掃除機を駆動させると、回転方向の異なる二つの電動送風機３及び４が電力を得てそれぞれ逆方向に回転を始める。そして反時計回りに回転する電動送風機４のシャフト１０は、ベルト１１に連結された回転ブラシ８に床面から見て電気掃除機本体側方向への回転を伝達する。同じく時計回りに回転する電動送風機３のシャフト１０は、ベルト１１により連結された回転ブラシ１４に床面から見て電気掃除機本体側方向への回転を伝達する。
【００４２】
このように、前記平行に並ぶ二つの回転ブラシ８及び１４を同一方向に回転させることにより、床の広い範囲の塵埃を掻き集めることができ電気掃除機のゴミ取れ性を向上させる事ができる。  また、ギア等の回転伝達装置を使うことなく二つの回転ブラシを回転させることが出来るため、コストの削減にもつながる。
【００４３】
（実施の形態８）
次に本発明の第８の実施の形態を図９を用いて説明する。なお、上記実施の形態と同一構成部品については同一符号を付して、その説明を省略する。図９は電気掃除機本体部１とノズル部９の断面図で、電気掃除機本体部１は、吸い込んだ塵埃を収集する集塵室２を有し、吸引力を発生し吸気側から見て時計回りに回転する二つの電動送風機３を右側の電動送風機室５及び左側の電動送風機室６に配置しており、二つの電動送風機４の吸気口７は互いに向き合っている。また、電気掃除機の進行方向側に位置する二つの回転ブラシ８及び１４を有しているノズル部９は前記電気掃除機本体部１と連結している。そして、前記右側の電動送風機室５に配置された時計回りに回転する電動送風機３のシャフト１０は、二つ並行に並ぶ回転ブラシのうち電気掃除機側に位置する回転ブラシ８とベルト１１を介し連結されている。また、前記左側の電動送風機室６に配置された時計回りに回転する電動送風機３のシャフト１０は、二つ並行に並ぶ回転ブラシのうち進行方向側に位置する回転ブラシ１４とベルト１１を介し連結されている。
【００４４】
次に、上記構成における動作、作用について説明する。
【００４５】
電気掃除機を駆動させると、時計回りに回転する二つの電動送風機３が電力を得てそれぞれ同一方向に回転を始める。そして右側の電動送風機室５に配置された時計回りに回転する電動送風機３のシャフト１０は、ベルト１１に連結された回転ブラシ８に床面から見て進行方向側への回転を伝達する。同じく左側の電動送風機室６に配置された時計回りに回転する電動送風機３のシャフト１０は、ベルト１１により連結された回転ブラシ１４に床面から見て電気掃除機本体側方向への回転を伝達する。
【００４６】
前記平行に並ぶ二つの回転ブラシ８及び１４を床面から見て互いに回転ブラシ８と１４との間方向へ回転、つまり、床面から塵埃を回転ブラシ８と回転ブラシ１４の間に掻き込むよう互いに逆方向に回転させることで、床の広い範囲の塵埃を一部の狭い範囲に掻き集めることができ、その、塵埃が掻き集められる空間に吸い込み口を設けることで電気掃除機のゴミ取れ性を向上させる事ができる。また、ギア等の回転伝達装置を使うことなく二つの回転ブラシを回転させることが出来るため、コストの削減にもつながる。
【００４７】
（実施の形態９）
次に本発明の第９の実施の形態を図１０を用いて説明する。なお、上記実施の形態と同一構成部品については同一符号を付して、その説明を省略する。図１０は電気掃除機本体部１及びノズル部９の断面図で、電気掃除機本体部１は、吸い込んだ塵埃を収集する集塵室２を有し、吸引力を発生する回転方向の異なる二つの電動送風機のうち、反吸気側から見て反時計方向に回転する電動送風機４を、電気掃除機前面から見て右側の電動送風機室５に、反吸気側から見て時計回りに回転する電動送風機３を、電機掃除機前面から見て左側の電動送風機室６に配置しており、二つの電動送風機の吸気口７は互いに向き合っている。そして、反時計回りに回転する電動送風機４のシャフト１０は、ベルト１１に連結された電気掃除機の使用者が電気掃除機を進行方向に押し進める際の操作力を軽減する駆動用回転ブラシ１７に床面から見て電気掃除機本体側方向への回転を伝達する。同じく時計回りに回転する電動送風機３のシャフト１０は、ベルト１１により連結された回転ブラシ１７に床面から見て電気掃除機本体側方向への回転を伝達する。そして回転ブラシ１７と進行方向側に平行に位置する回転ブラシ８は同一方向に回転を伝達する回転伝達装置１５により連結されているため、回転ブラシ１４は回転ブラシ８と同一方向へ回転をする。
【００４８】
このように、二つの回転方向が異なる電動送風機３及び４のシャフト１０から、二つのベルト１１により左右両端を連結された回転ブラシ１７の進行側にもう一つ回転ブラシ１４を平行に配置し、平行に並ぶ前記二つの回転ブラシ８及び１４を、同一方向に回転を伝達する回転伝達装置１５、例えばギア等により連結させることで、前記平行に並ぶ二つの回転ブラシ８及び１４を同一方向に回転させることにより、回転ブラシが一つの一般的なアップライト型電気掃除機と同等のゴミ取れ性を保ったまま、電気掃除機の使用者が電気掃除機を進行方向に押し進める際の操作力を軽減し、使用者の負担を減らすことができる。
【産業上の利用可能性】
【００４９】
以上のように、本発明にかかる電気掃除機は、入力の低い電動送風機を用いても二つ組み合わせることで容易に電気掃除機の入力を高めることができ、高入力電動送風機のような高い負荷が掛からず高い信頼性を保つことができ、かつ、電動送風機の温度上昇も抑制できることでシャフトからベルトに伝わる熱を低くすることができベルトの寿命を延ばすことができる。また、ファン径を大きくすることなくアップライト型に適した高い風量を得ることができ、高いゴミ取れ性能を得る事が可能となる。
【図面の簡単な説明】
【００５０】
【図１】本発明の第１の実施の形態を示す電気掃除機の断面図
【図２】本発明の第２の実施の形態を示す電気掃除機の断面図
【図３】本発明の第２の実施の形態を示すノズル部の断面図
【図４】本発明の第３の実施の形態を示す電気掃除機の断面図
【図５】本発明の第４の実施の形態を示す電気掃除機の断面図
【図６】本発明の第５の実施の形態を示す電気掃除機の断面図
【図７】本発明の第６の実施の形態を示す電気掃除機の断面図
【図８】本発明の第７の実施の形態を示す電気掃除機の断面図
【図９】本発明の第８の実施の形態を示す電気掃除機の断面図
【図１０】本発明の第９の実施の形態を示す電気掃除機の断面図
【図１１】従来のアップライト型電気掃除機の断面図
【符号の説明】
【００５１】
１  電気掃除機本体部
２  集塵室
３  時計回りの電動送風機
４  反時計回りの電動送風機
５  電気掃除機正面から見て右側に位置する電動送風機室
６  電気掃除機正面から見て左側に位置する電動送風機室
７  吸気口
８  塵埃攪拌用回転ブラシ
９  ノズル部
１０  シャフト
１１  ベルト
１２  制御基盤
１３  中央付近で分離させた回転ブラシ
１４  進行方向側に平行に並ぶ回転ブラシ
１５  同一方向に回転を伝える回転伝達装置
１６  逆方向に回転を伝える回転伝達装置
１７  駆動用回転ブラシ
１８  電動送風機
１９  電動送風機室
【図１】
2007068683.tif 000003
【図２】
2007068683.tif 000004
【図３】
2007068683.tif 000005
【図４】
2007068683.tif 000006
【図５】
2007068683.tif 000007
【図６】
2007068683.tif 000008
【図７】
2007068683.tif 000009
【図８】
2007068683.tif 000010
【図９】
2007068683.tif 000011
【図１０】
2007068683.tif 000012
【図１１】
2007068683.tif 000013